(57)【要約】  本発明は、時分割複信（ＴＤＤ）方式のチャネルマッピング方法および装置、該チャネルマッピング方法および装置を用いた基地局、時分割複信（ＴＤＤ）方式のユーザ機器におけるチャネル検出方法および装置、並びに該チャネル検出方法および装置を用いたユーザ機器に関する。前記時分割複信（ＴＤＤ）方式のチャネルマッピング方法は、第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングするとともに、前記複数のサブフレームのうち第１サブフレームに第３報知チャネルをマッピングすることと、第２キャリア周波数において、前記第６サブフレームに第１報知チャネルを１フレームおきにマッピングすることと、を含む。
2019527984.tif 000002
【特許請求の範囲】
【請求項１】
時分割複信（ＴＤＤ）方式のチャネルマッピング方法であって、
第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングするとともに、前記複数のサブフレームのうち第１サブフレームに第３報知チャネルをマッピングすることと、
第２キャリア周波数において、前記第６サブフレームに第１報知チャネルを１フレームおきにマッピングすることと、
を含むチャネルマッピング方法。
【請求項２】
前記第１キャリア周波数と前記第２キャリア周波数との間には、所定の周波数シフトがある、請求項１に記載のチャネルマッピング方法。
【請求項３】
前記第１報知チャネル、前記第２報知チャネルおよび前記第３報知チャネルは、それぞれプライマリ同期チャネル、セカンダリ同期チャネルおよび物理報知チャネルである、請求項１または２に記載のチャネルマッピング方法。
【請求項４】
時分割複信（ＴＤＤ）方式のチャネルマッピング装置であって、
第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングするとともに、前記複数のサブフレームのうち第１サブフレームに第３報知チャネルをマッピングするように配置される第１マッピング手段と、
第２キャリア周波数において、前記第６サブフレームに第１報知チャネルを１フレームおきにマッピングするように配置される第２マッピング手段と、
を備えるチャネルマッピング装置。
【請求項５】
前記第１キャリア周波数と前記第２キャリア周波数との間には、所定の周波数シフトがある、請求項４に記載のチャネルマッピング装置。
【請求項６】
前記第１報知チャネル、前記第２報知チャネルおよび前記第３報知チャネルは、それぞれプライマリ同期チャネル、セカンダリ同期チャネルおよび物理報知チャネルである、請求項４または５に記載のチャネルマッピング装置。
【請求項７】
請求項４に記載のチャネルマッピング装置を備える時分割複信（ＴＤＤ）方式の基地局。
【請求項８】
時分割複信（ＴＤＤ）方式のユーザ機器におけるチャネル検出方法であって、
特定のキャリア周波数で第１報知チャネルを検出するまで、受信した前記ＴＤＤ方式の上りリンク／下りリンク設定の１フレームを所定の周波数幅でスキャンすることと、
受信した前記１フレームの次の１フレームを前記特定のキャリア周波数でスキャンすることと、を含み、
前記次の１フレームにおいて第２報知チャネルが検出された場合、前記特定のキャリア周波数は第１キャリア周波数であり、前記第１キャリア周波数で前記次の１フレームをスキャンすることで第３報知チャネルを検出し、前記次の１フレームにおいて前記第２報知チャネルが検出されなかった場合、前記特定のキャリア周波数は第２キャリア周波数であり、前記第１キャリア周波数で前記次の１フレームをスキャンすることで前記第２報知チャネルを検出するとともに、前記第１キャリア周波数で前記次の１フレームをスキャンすることで前記第３報知チャネルを検出する、チャネル検出方法。
【請求項９】
前記第１キャリア周波数と前記第２キャリア周波数との間には、所定の周波数シフトがある、請求項８に記載のチャネル検出方法。
【請求項１０】
前記第１報知チャネルと前記第２報知チャネルとは、前記第１キャリア周波数のフレームごとに含まれる複数のサブフレームのうち第６サブフレームに交互にあり、前記第３報知チャネルは、前記複数のサブフレームのうち第１サブフレームにあり、かつ、
前記第１報知チャネルは、１フレームおきに、前記第２キャリア周波数の複数のサブフレームのうち第６サブフレームにある、請求項８に記載のチャネル検出方法。
【請求項１１】
前記第１報知チャネル、前記第２報知チャネルおよび前記第３報知チャネルは、それぞれプライマリ同期チャネル、セカンダリ同期チャネルおよび物理報知チャネルである、請求項８ないし１０のいずれか一項に記載のチャネル検出方法。
【請求項１２】
時分割複信（ＴＤＤ）方式のチャネル検出装置であって、
前記ＴＤＤ方式の上りリンク／下りリンク設定の信号フレームを受信するように配置される受信手段と、
特定のキャリア周波数で第１報知チャネルを検出するまで、受信した前記ＴＤＤ方式の上りリンク／下りリンク設定の１フレームを所定の周波数幅でスキャンしており、受信した前記１フレームの次の１フレームを前記特定のキャリア周波数でスキャンするように配置されるチャネル検出手段と、を備え、
前記次の１フレームにおいて第２報知チャネルが検出された場合、前記特定のキャリア周波数は第１キャリア周波数であり、前記第１キャリア周波数で前記次の１フレームをスキャンすることで第３報知チャネルを検出し、前記次の１フレームにおいて前記第２報知チャネルが検出されなかった場合、前記特定のキャリア周波数は第２キャリア周波数であり、前記第１キャリア周波数で前記次の１フレームをスキャンすることで前記第２報知チャネルを検出するとともに、前記第１キャリア周波数で前記次の１フレームをスキャンすることで前記第３報知チャネルを検出する、チャネル検出装置。
【請求項１３】
前記第１キャリア周波数と前記第２キャリア周波数との間には、所定の周波数シフトがある、請求項１２に記載のチャネル検出装置。
【請求項１４】
前記第１報知チャネルと前記第２報知チャネルとは、前記第１キャリア周波数のフレームごとに含まれる複数のサブフレームのうち第６サブフレームに交互にあり、前記第３報知チャネルは、前記複数のサブフレームのうち第１サブフレームにあり、かつ、
前記第１報知チャネルは、１フレームおきに、前記第２キャリア周波数の複数のサブフレームのうち第６サブフレームにある、請求項１２に記載のチャネル検出装置。
【請求項１５】
前記第１報知チャネル、前記第２報知チャネルおよび前記第３報知チャネルは、それぞれプライマリ同期チャネル、セカンダリ同期チャネルおよび物理報知チャネルである、請求項１２ないし１４のいずれか一項に記載のチャネル検出装置。
【請求項１６】
請求項１２に記載のチャネル検出装置を備える時分割複信（ＴＤＤ）方式のユーザ機器。
【発明の詳細な説明】
【技術分野】
【０００１】
本発明は、移動通信分野に関し、より具体的には、時分割複信（ＴＤＤ）方式のチャネルマッピング方法および装置、該チャネルマッピング方法および装置を用いた基地局、時分割複信（ＴＤＤ）方式のユーザ機器におけるチャネル検出方法および装置、並びに該チャネル検出方法および装置を用いたユーザ機器に関する。
【背景技術】
【０００２】
移動通信産業の発展および移動データトラフィックに対する要求の増加につれて、移動通信の速度とサービス品質（Ｑｏｓ）に対する要求が高くなり続ける。現在、セルラに基づく狭帯域ＩｏＴ（Ｎａｒｒｏｗ  Ｂａｎｄ  Ｉｎｔｅｒｎｅｔ  ｏｆ  Ｔｈｉｎｇｓ、ＮＢ−ＩｏＴ）は、モノのインターネットにおける１つの重要なブランチとなる。ＮＢ−ＩｏＴは、セルラネットワークにおいて構築され、１８０ＫＨｚ程度の周波数帯だけが消費され、ＧＳＭ（登録商標）ネットワーク、ＵＭＴＳネットワークまたはＬＴＥネットワークに直接配置できるので、配置コストが低減され、スムーズなアップグレードが図られる。
【発明の概要】
【発明が解決しようとする課題】
【０００３】
ＬＴＥネットワークシステムに基づくＮＢ−ＩｏＴシナリオにおいて、ロングタームエボリュ−ション（ＬＴＥ）システムもＬＴＥアドバンストシステム（ＬＴＥ−Ａ）も、直交周波数分割多重（ＯＦＤＭ）技術を基にしており、ＯＦＤＭシステムにおいて、主に時間および周波数の２次元のデータ形式になる。そこで、信号に対する効率的な伝送を実現し、リソース衝突を防止し、ユーザ機器（ＵＥ）による受信した信号の検出を行うように、時間および周波数の２次元で、伝送すべき信号を物理リソースブロック（ＰＲＢ）およびその中のサブフレームへ合理的にマッピングする必要がある。
【０００４】
周波数分割複信（ＦＤＤ）と時分割複信（ＴＤＤ）とは、ＬＴＥ規格における２種類の異なる複信方式である。ＦＤＤ方式では、２つの独立のチャネルリンクが存在しており、そのうち一方は下へ情報を送信することに用いられ、他方は上へ情報を送信することに用いられる。２つのチャネルリンク間には、隣接する送信機と受信機の間で相互干渉が発生しないように、保護周波数帯（ｇｕａｒｄ  ｂａｎｄ）が存在している。ＴＤＤ方式では、信号の送受信は、同一の周波数チャネルの異なるタイムスロットにおいて行われるものであり、互いには一定のガード区間（ｇｕａｒｄ  ｐｅｒｉｏｄ）が割り当てられる。ＦＤＤは、上りと下りは異なる周波数帯において同時に行われるため、非常に強いデータ伝送能力を有するが、スペクトルリソースに対する要求もより高くなる。一方、ＮＢ−ＩｏＴのような狭帯域の伝送方式に対しては、ＴＤＤの方がより満たされる。
【０００５】
現在、ＮＢ−ＩｏＴシナリオにおけるＦＤＤ方式のチャネルマッピング方法において、プライマリ同期信号（ＰＳＳ）を毎フレーム（１０ｍｓ）における第６サブフレーム（サブフレーム＃５、ただし、複数のサブフレームのうち第１サブフレームは、サブフレーム＃０と記す）にマッピングし、セカンダリ同期信号（ＳＳＳ）を第１０サブフレーム（サブフレーム＃９）にマッピングし、かつ物理報知チャネル（ＰＢＣＨ）を第１サブフレーム（サブフレーム＃０）にマッピングすることが提案された。ＴＤＤ方式については、ＦＤＤ方式のチャネルマッピング方法を流用することを考えると、ＴＤＤ方式の設定０においてサブフレーム＃９は上りリンクであるため、ＳＳＳを送信することはできない。
【０００６】
そこで、ＦＤＤ方式の主な信号系列設計の上で、ＴＤＤ方式の上りリンク／下りリンク設定に従って、プライマリ同期信号（ＰＳＳ）、セカンダリ同期信号（ＳＳＳ）および物理報知チャネル（ＰＢＣＨ）などの合理的なマッピングを実現しつつ、余分なコストを導入しない、ＴＤＤ方式用チャネルマッピング方法を提供する必要がある。また、ユーザ機器（ＵＥ）がＴＤＤ方式用チャネルマッピング方法に基づいて、プライマリ同期信号（ＰＳＳ）、セカンダリ同期信号（ＳＳＳ）および物理報知チャネル（ＰＢＣＨ）などを正確に検出して、セルサーチ同期などの手順を完了することが可能な、ＴＤＤ方式のユーザ機器におけるチャネル検出方法を提供する。
【課題を解決するための手段】
【０００７】
本発明は、上記問題に鑑み、時分割複信（ＴＤＤ）方式のチャネルマッピング方法および装置、該チャネルマッピング方法および装置を用いた基地局、時分割複信（ＴＤＤ）方式のユーザ機器におけるチャネル検出方法および装置、並びに該チャネル検出方法および装置を用いたユーザ機器を提供する。
【０００８】
本発明の一実施例によれば、第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングするとともに、前記複数のサブフレームのうち第１サブフレームに第３報知チャネルをマッピングすることと、第２キャリア周波数において、前記第６サブフレームに第１報知チャネルを１フレームおきにマッピングすることと、を含む時分割複信（ＴＤＤ）方式のチャネルマッピング方法を提供する。
【０００９】
また、本発明の一実施例のチャネルマッピング方法によれば、前記第１キャリア周波数と前記第２キャリア周波数との間には、所定の周波数シフトがある。
【００１０】
また、本発明の一実施例のチャネルマッピング方法によれば、前記第１報知チャネル、前記第２報知チャネルおよび前記第３報知チャネルは、それぞれプライマリ同期チャネル、セカンダリ同期チャネルおよび物理報知チャネルである。
【００１１】
本発明の他の一実施例によれば、第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングするとともに、前記複数のサブフレームのうち第１サブフレームに第３報知チャネルをマッピングするように配置される第１マッピング手段と、第２キャリア周波数において、前記第６サブフレームに第１報知チャネルを１フレームおきにマッピングするように配置される第２マッピング手段と、を備える時分割複信（ＴＤＤ）方式のチャネルマッピング装置を提供する。
【００１２】
また、本発明の他の一実施例のチャネルマッピング装置によれば、前記第１キャリア周波数と前記第２キャリア周波数との間には、所定の周波数シフトがある。
【００１３】
また、本発明の他の一実施例のチャネルマッピング装置によれば、前記第１報知チャネル、前記第２報知チャネルおよび前記第３報知チャネルは、それぞれプライマリ同期チャネル、セカンダリ同期チャネルおよび物理報知チャネルである。
【００１４】
本発明のさらに他の一実施例によれば、前述のようなチャネルマッピング装置を備える時分割複信（ＴＤＤ）方式の基地局を提供する。
【００１５】
本発明のさらに他の一実施例によれば、特定のキャリア周波数で第１報知チャネルを検出するまで、受信した前記ＴＤＤ方式の上りリンク／下りリンク設定の１フレームを所定の周波数幅でスキャンすることと、受信した前記１フレームの次の１フレームを前記特定のキャリア周波数でスキャンすることと、を含み、前記次の１フレームにおいて第２報知チャネルが検出された場合、前記特定のキャリア周波数は第１キャリア周波数であり、前記第１キャリア周波数で前記次の１フレームをスキャンすることで第３報知チャネルを検出し、前記次の１フレームにおいて前記第２報知チャネルが検出されなかった場合、前記特定のキャリア周波数は第２キャリア周波数であり、前記第１キャリア周波数で前記次の１フレームをスキャンすることで前記第２報知チャネルを検出するとともに、前記第１キャリア周波数で前記次の１フレームをスキャンすることで前記第３報知チャネルを検出する時分割複信（ＴＤＤ）方式のユーザ機器におけるチャネル検出方法を提供する。
【００１６】
また、本発明のさらに他の一実施例のチャネル検出方法によれば、前記第１キャリア周波数と前記第２キャリア周波数との間には、所定の周波数シフトがある。
【００１７】
また、本発明のさらに他の一実施例のチャネル検出方法によれば、前記第１報知チャネルと前記第２報知チャネルとは、前記第１キャリア周波数のフレームごとに含まれる複数のサブフレームのうち第６サブフレームに交互にあり、前記第３報知チャネルは、前記複数のサブフレームのうち第１サブフレームにあり、かつ、前記第１報知チャネルは、１フレームおきに、前記第２キャリア周波数の複数のサブフレームのうち第６サブフレームにある。
【００１８】
また、本発明のさらに他の一実施例のチャネル検出方法によれば、前記第１報知チャネル、前記第２報知チャネルおよび前記第３報知チャネルは、それぞれプライマリ同期チャネル、セカンダリ同期チャネルおよび物理報知チャネルである。
【００１９】
本発明のさらに他の一実施例によれば、前記ＴＤＤ方式の上りリンク／下りリンク設定の信号フレームを受信するように配置される受信手段と、特定のキャリア周波数で第１報知チャネルを検出するまで、受信した前記ＴＤＤ方式の上りリンク／下りリンク設定の１フレームを所定の周波数幅でスキャンしており、受信した前記１フレームの次の１フレームを前記特定のキャリア周波数でスキャンするように配置されるチャネル検出手段と、を備え、前記次の１フレームにおいて第２報知チャネルが検出された場合、前記特定のキャリア周波数は第１キャリア周波数であり、前記第１キャリア周波数で前記次の１フレームをスキャンすることで第３報知チャネルを検出し、前記次の１フレームにおいて前記第２報知チャネルが検出されなかった場合、前記特定のキャリア周波数は第２キャリア周波数であり、前記第１キャリア周波数で前記次の１フレームをスキャンすることで前記第２報知チャネルを検出するとともに、前記第１キャリア周波数で前記次の１フレームをスキャンすることで前記第３報知チャネルを検出する時分割複信（ＴＤＤ）方式のチャネル検出装置を提供する。
【００２０】
また、本発明のさらに他の一実施例のチャネル検出装置によれば、前記第１キャリア周波数と前記第２キャリア周波数との間には、所定の周波数シフトがある。
【００２１】
また、本発明のさらに他の一実施例のチャネル検出装置によれば、前記第１報知チャネルと前記第２報知チャネルとは、前記第１キャリア周波数のフレームごとに含まれる複数のサブフレームのうち第６サブフレームに交互にあり、前記第３報知チャネルは、前記複数のサブフレームのうち第１サブフレームにあり、かつ、前記第１報知チャネルは、１フレームおきに、前記第２キャリア周波数の複数のサブフレームのうち第６サブフレームにある。
【００２２】
また、本発明のさらに他の一実施例のチャネル検出装置によれば、前記第１報知チャネル、前記第２報知チャネルおよび前記第３報知チャネルは、それぞれプライマリ同期チャネル、セカンダリ同期チャネルおよび物理報知チャネルである。
【００２３】
本発明のさらに他の一実施例によれば、前述のようなチャネル検出装置を備える時分割複信（ＴＤＤ）方式のユーザ機器を提供する。
【発明の効果】
【００２４】
本発明の実施例に係るＴＤＤ方式に用いられるチャネルマッピング方法、装置および基地局によれば、ＦＤＤ方式の主な信号系列設計の上で、ＴＤＤ方式の上りリンク／下りリンク設定に従って、プライマリ同期信号（ＰＳＳ）、セカンダリ同期信号（ＳＳＳ）および物理報知チャネル（ＰＢＣＨ）などの合理的なマッピングを実現しつつ、余分なコストを導入しないことができる。また、本発明の実施例に係るＴＤＤ方式に用いられるチャネル検出方法、装置およびユーザ機器によれば、ＴＤＤ方式に用いられるチャネルマッピング方法に基づいて、プライマリ同期信号（ＰＳＳ）、セカンダリ同期信号（ＳＳＳ）および物理報知チャネル（ＰＢＣＨ）などを正確に検出してセルサーチ同期などの手順を完了することができる。
【００２５】
なお、前記の概要と下記の詳細な説明はいずれも例示的なものであり、保護を求める技術についての更なる説明の提供を意図することは、理解されるであろう。
【図面の簡単な説明】
【００２６】
図面を参照しながら本発明の実施例を詳細に説明することで、本発明の上記および他の目的、特徴、および長所がより明らかになる。図面は、本発明の実施例に対する更なる理解を提供するものであり、明細書の一部となり、本発明の実施例とともに本発明の説明に用いられるが、本発明を限定するものではない。図面において、同じ参照記号は、通常、同一の部品やステップを示す。
【図１】本発明の実施例に係る通信システムの概略を説明する模式図である。
【図２】ＴＤＤ方式の上りリンク／下りリンク設定を図示する模式図である。
【図３】本発明の実施例によるＴＤＤ方式のチャネルマッピング方法を図示するフローチャートである。
【図４】本発明の実施例によるＴＤＤ方式のチャネルマッピングを図示する模式図である。
【図５】本発明の実施例によるＴＤＤ方式のチャネルマッピング装置を図示するブロック図である。
【図６】本発明の実施例によるＴＤＤ方式の基地局を図示するブロック図である。
【図７】本発明の実施例によるＴＤＤ方式のチャネル検出方法を図示するフローチャートである。
【図８】本発明の実施例によるＴＤＤ方式のチャネル検出装置を図示するブロック図である。
【図９】本発明の実施例によるＴＤＤ方式のユーザ機器を図示するブロック図である。
【図１０Ａ】ＦＤＤ方式のチャネル検出時間および本発明の実施例によるＴＤＤ方式のチャネル検出時間を図示する模式図である。
【図１０Ｂ】ＦＤＤ方式のチャネル検出時間および本発明の実施例によるＴＤＤ方式のチャネル検出時間を図示する模式図である。
【発明を実施するための形態】
【００２７】
本発明の目的、技術案、長所をより明確にするために、以下、図面を参照しながら本発明による例示的な実施例を詳細に説明する。説明する実施例は、本発明の一部の実施例に過ぎず、本発明の全ての実施例ではないことは、明らかである。なお、本発明は、ここで説明する例示的な実施例に制限されないことは、理解されるであろう。当業者には、開示された本発明の実施例に基づき、容易に成し遂げることができた他の実施例の全ては本発明の保護範囲に属する。
【００２８】
図１は、本発明の実施例に係る通信システムの概略を説明する模式図である。図１に示すように、本発明の実施例による通信システムは、基地局１０と、ユーザ機器（ＵＥ）２０と、を備える。基地局１０とユーザ機器２０は、所定の通信チャネルで、所定プロトコルに準拠する通信信号の送受信を実行する。
【００２９】
本発明は、主にＬＴＥネットワークシステムによるＮＢ−ＩｏＴシナリオに着眼する。周波数分割複信（ＦＤＤ）と時分割複信（ＴＤＤ）は、ＬＴＥ規格の２種類の異なる複信方式であり、ただし、ＴＤＤは、ＮＢ−ＩｏＴのような狭帯域の伝送方式を好適に満たす。ＮＢ−ＩｏＴシナリオにおけるチャネルマッピングを行うために、ＴＤＤ方式の上りリンク／下りリンク設定を考慮する必要がある。
【００３０】
図２は、ＴＤＤ方式の上りリンク／下りリンク設定を図示する模式図である。
図２に示すように、ＴＤＤ方式において、上りリンク／下りリンク設定０から設定６までに、下り回線の特定サブフレームはサブフレーム＃０とサブフレーム＃５であり、それらはそれぞれＰＢＣＨとＰＳＳのマッピングに用いられる。また、ある特別サブフレームであるサブフレーム＃１とサブフレーム＃６における下り受信区間（ＤｗＰＴＳ）において、十分な下りリンクＯＦＤＭシンボルを有していない。
【００３１】
上記問題を解決するために、本発明は、ＴＤＤ方式の上りリンク／下りリンク設定およびＦＤＤ方式の主な信号系列設計に基づき、ＴＤＤ方式のチャネルマッピング方法を提供する。該ＴＤＤ方式のチャネルマッピング方法は、ＰＳＳについて時間領域上の周期を延長しかつ周波数上で密度を２倍にすることで検出確率と検出時間を保持するとともに、ＳＳＳとＰＢＣＨについて周波数上で密度を保持するようになる。具体的には、図面を参照しながら該チャネルマッピング方法を用いたチャネルマッピング方法とチャネル検出方法を詳細に説明する。
【００３２】
まず、本発明によるチャネルマッピング方法について、図３を参照しながら説明する。本発明の実施例によるチャネルマッピング方法は、下記のステップを含む。
【００３３】
ステップＳ３０１では、第１キャリア周波数において、ＴＤＤ方式の上りリンク／下りリンク設定のフレームごとに含まれる複数のサブフレームのうち第６サブフレームに、第１報知チャネルと第２報知チャネルを交互にマッピングする。本発明の一実施例では、第１報知チャネルと第２報知チャネルは、それぞれプライマリ同期信号（ＰＳＳ）チャネル、セカンダリ同期信号（ＳＳＳ）チャネルである。第６サブフレームは、サブフレーム＃５である。すなわち、ＰＳＳとＳＳＳは、交互的にサブフレーム＃５にマッピングされる。その後、処理はステップＳ３０２に進む。
【００３４】
ステップＳ３０２では、第１キャリア周波数において、前記複数のサブフレームのうち第１サブフレームに、第３報知チャネルをマッピングする。本発明の一実施例では、第３報知チャネルは、物理報知チャネル（ＰＢＣＨ）である。その後、処理はステップＳ３０３に進む。
【００３５】
ステップＳ３０３では、第２キャリア周波数において、前記第６サブフレームに第１報知チャネルを１フレームおきにマッピングする。本発明の一実施例では、前記第１キャリア周波数と前記第２キャリア周波数との間には、所定の周波数シフトがあり、それによって信号を受信するユーザ機器（ＵＥ）がチャネルを検出できることを確保する。
【００３６】
さらに、本発明の実施例によるＴＤＤ方式のチャネルマッピングについて図４を参照しながら説明する。図４に示すように、第１キャリア周波数ａにおいて、サブフレーム＃５にＰＳＳとＳＳＳを交互にマッピングし、かつ、サブフレーム＃０にＰＢＣＨをマッピングする。また、第２キャリア周波数ｂにおいて、１フレームおきに、サブフレーム＃５にＰＳＳをマッピングする。第１キャリア周波数ａと第２キャリア周波数ｂとの間には、例えば周波数幅の半分のような、所定の周波数シフトがある。
【００３７】
このように、本発明の実施例によるＴＤＤ方式のチャネルマッピング方法では、周波数領域上では、第１キャリア周波数ａと第２キャリア周波数ｂにおいてＰＳＳをマッピングしつつ、時間領域上では、１フレームおきにＰＳＳをマッピングすることで、ＰＳＳの全体的密度を保持し、かつ対応する検出確率と検出時間を保持する。また、ＳＳＳとＰＢＣＨについては、それらの周波数領域と時間領域上の密度を保持し、かつ相応的にＦＤＤ方式における信号系列設計を流用する。
【００３８】
また、本発明の実施例によるＴＤＤ方式のチャネルマッピング方法はこれに限らない。この代わりに、サブフレーム＃０にＰＳＳとＳＳＳを交互にマッピングしつつ、サブフレーム＃５にＰＢＣＨをマッピングしてもよい。このように設定されたチャネルマッピング方法によれば、ＦＤＤ方式における信号系列設計は変更されるが、同様に、ＰＳＳ、ＳＳＳおよびＰＢＣＨの全体的密度並びに対応する検出確率の検出時間を保持することを実現する。
【００３９】
図５は、本発明の実施例によるＴＤＤ方式のチャネルマッピング装置を図示するブロック図である。図５に示すように、本発明の実施例によるＴＤＤ方式のチャネルマッピング装置５０は、第１マッピング手段５０１と第２マッピング手段５０２を備える。
【００４０】
具体的には、前記第１マッピング手段５０１は、第１キャリア周波数において、前記ＴＤＤ方式の上りリンク／下りリンク設定のフレームごとに含まれる複数のサブフレームのうち第６サブフレームに、第１報知チャネルと第２報知チャネルを交互にマッピングし、かつ、前記複数のサブフレームのうち第１サブフレームに第３報知チャネルをマッピングするように配置される。前記第２マッピング手段５０２は、第２キャリア周波数において、前記第６サブフレームに第１報知チャネルを１フレームおきにマッピングするように配置される。
【００４１】
図６は、本発明の実施例によるＴＤＤ方式の基地局を図示するブロック図である。図６に示すように、本発明の実施例によるＴＤＤ方式の基地局１０は、前述した図５を参照して説明した本発明の実施例に係るＴＤＤ方式のチャネルマッピング装置５０を備える。基地局１０に備えられるチャネルマッピング装置５０の各手段は、上述した図３を参照した説明したものと同じであり、ここでは説明を省略する。
【００４２】
なお、本発明の実施例によるＴＤＤ方式の基地局１０は、それ以外の手段を備えてもよいことは理解されやすいであろう。図６において、本発明と密接に関係する手段だけを示す。
【００４３】
図３ないし図６を参照して本発明の実施例によるＴＤＤ方式のチャネルマッピング方法および該チャネルマッピング方法を用いたチャネルマッピング装置と基地局を説明した後、以下、本発明の実施例によるＴＤＤ方式のチャネルマッピング方法に対応するチャネル検出方法、および該チャネル検出方法を用いたチャネル検出装置とユーザ機器について、図７ないし図１０Ｂを参照しながら、さらに説明する。
【００４４】
図７は、本発明の実施例によるＴＤＤ方式のチャネル検出方法を図示するフローチャートである。本発明の実施例によるチャネル検出方法は、下記のステップを含む。
【００４５】
ステップＳ７０１では、特定のキャリア周波数で第１報知チャネルを検出するまで、受信した前記ＴＤＤ方式の上りリンク／下りリンク設定の１フレームを所定周波数幅でスキャンする。上記のように、本発明の一実施例において、第１報知チャネルは、プライマリ同期信号（ＰＳＳ）チャネルである。ＰＳＳの検出は、例えば、ローカル系列とスライディング相関を行って、ピークの位置がＰＳＳの位置であるようになる。その後、処理はステップＳ７０２に進む。
【００４６】
ステップＳ７０２では、受信した前記１フレームの次の１フレームを前記特定のキャリア周波数でスキャンする。本発明の一実施例において、受信した前記１フレームの次の１フレームをスキャンするのは、第２報知チャネルの検出、すなわちＳＳＳの検出を行うためである。その後、処理はステップＳ７０３に進む。
【００４７】
ステップＳ７０３では、受信した前記１フレームの次の１フレームを前記特定のキャリア周波数でスキャンすることにより、第２報知チャネルを検出したかを判断する。
【００４８】
ステップＳ７０３においてＹＥＳの場合、すなわち、前記１フレームの次の１フレームにおいてＳＳＳが検出された場合、処理はステップＳ７０４に進む。
【００４９】
ステップＳ７０４では、前記特定のキャリア周波数を第１キャリア周波数と特定し、前記第１キャリア周波数で前記次の１フレームをスキャンし続けることで、第３報知チャネルを検出する。本発明の一実施例において、第３報知チャネルは、物理報知チャネル（ＰＢＣＨ）である。同期信号（ＰＳＳとＳＳＳ）を検出してから、ＰＢＣＨを検出および復号化することで関連するシステム情報を取得する。
【００５０】
ステップＳ５０３においてＮＯの場合、すなわち、前記１フレームの次の１フレームにおいてＳＳＳが検出されなかった場合、処理はステップＳ７０５に進む。
【００５１】
ステップＳ７０５では、前記特定のキャリア周波数は第２キャリア周波数であり、前記第１キャリア周波数で前記次の１フレームをスキャンすることで、前記第２報知チャネルを検出する。本発明の一実施例において、前記第２キャリア周波数と前記第１キャリア周波数は、上記のように図３と図４を参照して説明した所定の周波数シフトを有する。例えば、０からＮＰＲＢ／２までの周波数でＰＳＳを検出したが、次の１フレームにおいてＳＳＳが検出されない場合、さらに、該周波数に対して所定の周波数シフトをもつ、より高い周波数で関連するＳＳＳを検出するよう指示する。ＮＰＲＢ／２からＮＰＲＢまでの周波数でＰＳＳを検出したが、次の１フレームにおいてＳＳＳが検出されない場合、さらに、該周波数に対して所定の周波数シフトをもつ、より低い周波数で関連するＳＳＳを検出するよう指示する。その後、処理はステップＳ７０６に進む。
【００５２】
ステップＳ７０６では、前記第１キャリア周波数で前記次の１フレームをスキャンし続けることで、第３報知チャネルを検出する。
【００５３】
受信した前記ＴＤＤ方式の上りリンク／下りリンク設定の１フレームが、以上のように図３と図４を参照して説明した本発明の実施例によるＴＤＤ方式のチャネルマッピング方法を利用した場合、図７で説明した本発明の実施例によるＴＤＤ方式のチャネル検出方法によって検出されたＰＳＳとＳＳＳは、前記第１キャリア周波数のフレームごとに含まれる複数のサブフレームのうちサブフレーム＃５に交互にあり、ＰＢＣＨは前記複数のサブフレームのうちサブフレーム＃０にあり、そして、ＰＳＳは、さらに１フレームおきに、前記第２キャリア周波数の複数のサブフレームのうちサブフレーム＃５にある。
【００５４】
図８は、本発明の実施例によるＴＤＤ方式のチャネル検出装置を図示するブロック図である。図８に示すように、本発明の実施例によるＴＤＤ方式のチャネル検出装置８０は、受信手段８０１とチャネル検出手段８０２とを備える。
【００５５】
具体的には、前記受信手段８０１は、前記ＴＤＤ方式の上りリンク／下りリンク設定の信号フレームを受信するように配置される。前記チャネル検出手段８０２は、特定のキャリア周波数で第１報知チャネルを検出するまで、受信した前記ＴＤＤ方式の上りリンク／下りリンク設定の１フレームを所定の周波数幅でスキャンし、そして、受信した前記１フレームの次の１フレームを前記特定キャリア周波数でスキャンしており、前記次の１フレームにおいて第２報知チャネルが検出された場合、前記特定のキャリア周波数は第１キャリア周波数であり、前記第１キャリア周波数で前記次の１フレームをスキャンすることで第３報知チャネルを検出し、また、前記次の１フレームにおいて前記第２報知チャネルが検出されなかった場合、前記特定のキャリア周波数は第２キャリア周波数であり、第１キャリア周波数で前記次の１フレームをスキャンすることで前記第２報知チャネルを検出するとともに、前記第１キャリア周波数で前記次の１フレームをスキャンすることで前記第３報知チャネルを検出するように配置される。本発明の一実施例において、前記第１キャリア周波数と前記第２キャリア周波数との間には、所定の周波数シフトがある。前記チャネル検出装置８０によって検出されたＰＳＳとＳＳＳは、前記第１キャリア周波数のフレームごとに含まれる複数のサブフレームのうちサブフレーム＃５に交互にあり、ＰＢＣＨは前記複数のサブフレームのうちサブフレーム＃０にあり、そして、ＰＳＳは、さらに１フレームおきに、前記第２キャリア周波数の複数のサブフレームのうちサブフレーム＃５にある。
【００５６】
図９は、本発明の実施例によるＴＤＤ方式のユーザ機器を図示するブロック図である。図９に示すように、本発明の実施例によるＴＤＤ方式のユーザ機器２０は、上記のように図８を参照して説明した本発明の実施例によるＴＤＤ方式のチャネル検出装置８０を備える。ユーザ機器２０に備えられるチャネル検出装置８０の各手段は、上記のように図８を参照した説明したものと同じであり、ここでは説明を省略する。
【００５７】
なお、本発明の実施例によるＴＤＤ方式のユーザ機器２０は、それ以外の手段を備えてもよいことは、理解されやすいであろう。図９には、本発明と密接に関連する部品だけを示す。
【００５８】
図１０Ａおよび１０Ｂは、ＦＤＤ方式のチャネル検出時間と本発明の実施例によるＴＤＤ方式のチャネル検出時間を図示する模式図である。
【００５９】
図１０Ａに示すように、ＦＤＤ方式では、チャネル検出の実行に要する最大チャネル検出時間は、１０ｍＳ×１００ＰＲＢ=１０００ｍＳである。
【００６０】
図１０Ｂに示すように、本発明の実施例によるＴＤＤ方式では、チャネル検出の実行に要する最大チャネル検出時間は、２０ｍＳ×５０ＰＲＢ=１０００ｍＳである。
【００６１】
すなわち、本発明の実施例によるＴＤＤ方式のチャネルマッピング方法およびチャネル検出方法は、ＦＤＤ方式と同じチャネル検出時間を保持し、いかなる余分なコストを導入していない。なお、図１０Ｂに示される検出時間は例示的なものだけであり、制限ではないことは、理解されやすいであろう。本発明の実施例によるＴＤＤ方式のチャネル検出方法は、異なるＰＲＢ数と検出時間が存在しうる。
【００６２】
以上、図１ないし図１０Ｂを参照して、本発明の実施例によるチャネルをマッピングおよび検出する方法および装置、基地局並びにユーザ機器を説明した。本発明の実施例によるＴＤＤ方式用のチャネルマッピング方法、装置および基地局は、ＦＤＤ方式の主な信号系列設計の上で、ＴＤＤ方式の上りリンク／下りリンク設定に従って、プライマリ同期信号（ＰＳＳ）、セカンダリ同期信号（ＳＳＳ）および物理報知チャネル（ＰＢＣＨ）などの合理的なマッピングを実現しつつ、余分なコストを導入しないことができる。また、本発明の実施例によるＴＤＤ方式用のチャネル検出方法、装置およびユーザ機器は、ＴＤＤ方式用のチャネルマッピング方法に基づき、プライマリ同期信号（ＰＳＳ）、セカンダリ同期信号（ＳＳＳ）および物理報知チャネル（ＰＢＣＨ）などを正確に検出してセルサーチ同期などの手順を完了することができる。
【００６３】
本明細書において、「備える」、「含む」、およびそれらのいかなる変形は、非排他的であることが意図され、よって一連の要素を含む手順、方法、物品または機器は、それらの要素だけではなく、明確に示されないその他要素も含む、或いは、これらの手順、方法、物品または機器に固有される要素をさらに含む。さらなる制限がない限り、文言「……を備える」によって制限される要素は、前記要素を含む手順、方法、物品または機器にはそれ以外の同じ要素を備えることを排除しない。
【００６４】
最後に、上記一連の処理は、ここで述べた順番で時間系列で実行される処理だけではなく、時間系列ではなく並行でまたは別々に実行される処理も含む。
【００６５】
上記の実施形態の説明から、当業者は、本発明が、ソフトウェアと必要なハードウェアプラットフォームとによって実施され得ることを明らかに理解することができ、もちろん、すべてがハードウェアによって実施されてもよい。このような理解に基づき、背景技術に寄与する本発明の技術案の全てまたは一部をコンピュータソフトウェア製品として実現することができる。該コンピュータソフトウェア製品は、ＲＯＭ／ＲＡＭ、磁気ディスク、光ディスクなどの記憶媒体に格納し、コンピュータ装置（パーソナルコンピュータ、サーバ、またはネットワーク装置などであり得る）に、本発明の様々な実施形態または実施形態のある部分に記載された方法を実行させるための多数の命令が含まれる。
【００６６】
以上、本発明を詳細に説明した。特定の実施例を参照して本発明の原理および実施形態を説明してきたが、以上で説明した実施例の説明は、本発明の方法およびその技術的思想の中核をなす部分の理解に役立つためのものである。そして、当業者に対しては、本発明の思想に従って、具体的な実施形態および応用範囲においては変更され得る。以上により、本明細書の内容は、本発明を限定するものと解釈されるべきではない。
【図１】
2019527984.tif 000003
【図２】
2019527984.tif 000004
【図３】
2019527984.tif 000005
【図４】
2019527984.tif 000006
【図５】
2019527984.tif 000007
【図６】
2019527984.tif 000008
【図７】
2019527984.tif 000009
【図８】
2019527984.tif 000010
【図９】
2019527984.tif 000011
【図１０Ａ】
2019527984.tif 000012
【図１０Ｂ】
2019527984.tif 000013
【国際調査報告】
2019527984.tif 000014
2019527984.tif 000015
2019527984.tif 000016
2019527984.tif 000017